(57)【要約】【課題】樹脂による方法では充分に洗浄が行えず、別途防腐剤・洗浄剤・試薬を常に装置内に保持しておくのはスペースやメンテナンス上は好ましくない。特に光測定における測定試料を保持する容器に関しては、汚れによる光の透過率変化や旋光物質の付着などによる測定精度の低下を招く。【解決手段】樹脂を備えた容器１３と測定セル８を備えたカセット３０を装着することにより、測定試料は容器１３を通り抜けて尿中グルコース以外の旋光成分を除去して測定セル８に至る。この時、光学測定装置９が測定セル８に光を透過させて旋光度を測ることによって尿中グルコース濃度を求める。測定後、カセット３０ごと廃棄し、次回の測定のために新規のカセット３０を装着する。【選択図】図１
2007192551.tif 000002
【特許請求の範囲】
【請求項１】
所定の溶液成分の特性を測定する測定手段と、容器を脱着する脱着手段とを備え、所定の溶液の濃度を測定する濃度測定装置であって、前記所定の溶液成分の特性を測定するための前処理として必要な成分の入った前処理用容器および前記測定手段による測定のときに試料を保持するための測定セルとが前記脱着手段により装着される濃度測定装置。
【請求項２】
前記脱着手段により交換可能な容器を複数個備える容器群を有し、該容器群には前記前処理用容器と前記測定セルとが混在していることを特徴とする請求項１に記載の濃度測定装置。
【請求項３】
前記容器群は円盤形状であることを特徴とする請求項２に記載の濃度測定装置。
【請求項４】
前記容器群の外側と前記容器群の中心部との間に光を透過させることを特徴とする請求項２または請求項３に記載の濃度測定装置。
【請求項５】
１つの前記測定セルに対して複数の前記前処理用容器を備えることを特徴とする請求項１から請求項４のいずれか一項に記載の濃度測定装置。
【発明の詳細な説明】
【技術分野】
【０００１】
本発明は溶液中に含まれる成分の測定、特に尿中グルコース濃度を高精度に測定する技術に関するものである。
【背景技術】
【０００２】
尿中の成分を測定することは健康を管理する上で有用なことはよく知られている。特に尿中グルコース濃度の定量測定は年々増え続ける糖尿病の指標となるので重要である。尿中のグルコース濃度、すなわち尿糖濃度を測定する方法としてはＧＯＤ（グルコースオキシダーゼ）法による酵素を用いたバイオセンサーが知られている（例えば特許文献１参照）。上記の方法は選択透過膜を塗布した電極上にＧＯＤを固着させた酵素膜を設ける構成となっている。尿に接触させると以下の反応が起こる。
β-D-グルコース+ → D-グルコノ-δ-ラクトン＋ Ｈ2Ｏ2  ・・・（反応式１）
Ｈ2Ｏ2 →２Ｈ+ ＋ Ｏ2 ＋ ２ｅ- ・・・（反応式２）
このとき発生する電流量を測定することによりグルコース濃度を求めることが出来る。
【０００３】
また、光学的に尿糖の濃度を測定することもできる（例えば特許文献２参照）。旋光度を用いた光学的方式においては、直接試料液に触れることなく測定することが可能であり、センサー部に汚れが付着することもないため、特に部品の交換や消耗品等を必要とせず、長い期間において測定が可能である。
【０００４】
旋光度より試料液内の旋光性物質の濃度を求める方法の原理は式１に基づく。
θ＝１／１００×[α]λＴ×ｃ×Ｌ  （式１）
ここで、θは旋光度であり、一般に右旋光方向を＋、左旋光方向を−とする。[α]λＴは光線の波長がλ、温度がＴの場合の旋光性物質の比旋光度であり、物質固有の係数である。また、ｃは試料液中の旋光性物質の濃度、Ｌは試料液の光路長である。式１において、前述のように比旋光度[α]λＴは濃度測定前に既知の係数であり、試料液の光路長Ｌも同様に既知の値であるため、試料液に光線を通したときの旋光度θを測定することにより、試料液中の旋光性物質の濃度ｃを求めることが出来る。
【０００５】
しかし、上記の方法により所定成分の濃度を求めることは可能だが、実際の測定試料液は目的とする成分以外の成分が混在することが多い。例えば尿糖（尿中のグルコース）測定の場合は、尿中にビタミンＣ（アスコルビン酸）がサプリメントの摂取などにより排泄されることがある。アスコルビン酸は強い還元作用を持つため上述の酵素による測定の電流値に影響を及ぼすのみでなく、旋光性成分（比旋光度２３°）であるので上述の旋光度による測定にも影響を及ぼす。さらには尿中にはアスコルビン酸のみならずペプチドやアミノ酸など種々の測定阻害となる成分が存在する。また、これらの成分は測定精度の弊害となるばかりでなく、測定部位の汚れの原因となる成分が多く含まれている。
【０００６】
上記課題の解決策として、試料液中の旋光性物質による旋光角を測定することにより試料液中の旋光性物質の濃度を測定する光学測定装置において、樹脂類により除去することが有効である。例えば尿糖測定の場合は、ビタミンＣやアミノ酸はイオン交換樹脂により除去され、ペプチド類は合成吸着樹脂や活性炭により除去される（例えば特許文献３参照）。
【０００７】
図８は上記樹脂類を用いた場合の従来の例である。図８において採尿容器１０１は尿を採取するための容器であり、電磁弁１０２は採尿容器１０１とイオン交換樹脂層１０３の間に備えられた電磁弁であり、尿を一定量以上通さないよう開閉する。イオン交換樹脂部
１０３には弱塩基性陰イオン交換樹脂（例えば三菱化学社製のWA20）が保持されており、脱着可能な構造となっている。導管１０５はイオン交換樹脂部１０３と測定容器１５５の間をつないで尿を通す。電磁弁１０６は測定容器１５５と導管１０７の間に備えられた電磁弁であり、尿を測定後に開く。導管１０７は測定し終わった尿を排出する。光学系１１１は旋光度測定するための装置である。
尿が採尿容器１０１に溜まると電磁弁１０２が開いて尿はイオン交換樹脂部１０３を通過する。このとき、尿中のグルコースは通り抜けるが、還元作用の強いビタミンＣはイオン交換樹脂部１０３中の弱塩基性陰イオン交換樹脂にトラップされる。
【０００８】
さらに、尿は導管１０５を通って測定容器１５５に溜まり、光学系１１１にて旋光度測定が以下のごとく行われる。レーザダイオード１２１から出射した光束は、レンズ１２２でコリメートされ、平行光となり、偏光子１２３Ａにより、垂直方向から４５°傾斜した方向に振動する直線偏光になる。次に、液晶素子１３１により水平方向もしくは垂直方向の偏光成分が位相変調される。液晶素子１３１は、水平方向もしくは垂直方向に液晶分子長軸が揃ったホモジニアス配向の液晶素子であり、電圧印加により液晶分子が立ち、分子長軸方向の屈折率が変化し、位相変調を行う事ができる。
ここで、液晶素子１３１により一方の偏光成分のみに位相変調を加えると、直交する偏光成分同士で干渉させる事になる。
【０００９】
次に、透過光はハーフミラー１２４により反射光と直進光に分岐され、直進光は、水平軸と垂直軸が４５°傾斜した４分の１波長板１２６Ａに入射し、水平・垂直方向の振動成分をそれぞれ反対方向に回転する円偏光成分に変換する事ができる。さらに、直進光は尿の測定容器１５５に入射し、尿の旋光度に伴った右回り円偏光と左回り円偏光間で±θの位相差が与えられる。さらに、４分の１波長板１２６Ａと光軸が一致もしくは直交する４分の１波長板１２６Ｂを透過し、左右回りの円偏光が、それぞれ水平もしくは垂直方向に直交する偏光成分に変換される。
【００１０】
水平もしくは垂直方向から４５°傾斜した偏光子１２３Ｂを透過する事により、上述の直交する偏光成分間の干渉信号が得られ、一方の光速が位相変調されているためビート信号が得られ、偏光子１２３Ｂを通過してフォトダイオード１２９Ａにより電気信号に変換される。偏光子１２３Ｃを通過してフォトダイオード１２９Ｂより得られるビート信号は、試料の旋光度の影響は受けておらず、フォトダイオード１２９Ａ、１２９Ｂの信号間の位相差により、尿の旋光度が検出されることによって濃度を求める事ができる。この尿はイオン交換樹脂部１０３を通過することにより、ビタミンＣは除去されているためこの旋光度はほぼグルコース濃度に依存する。測定し終わると第２の電磁弁１０６が開き、尿は導管１０７を通って排出される。
【００１１】
しかしながら、浄水による洗浄だけでは不十分であり、特にカビ発生の課題については浄水以外に特別な洗浄液が必要であったり、市水の電気分解により発生させたイオン水を利用することも発明されている（例えば特許文献４参照）。
【００１２】
【特許文献１】特開平１１−２７１２５９号公報（図２）
【特許文献２】特開２０００−８１３８６号公報（図１）
【特許文献３】国際公開第ＷＯ２００５／０９３４１０号パンフレット（図１）
【特許文献４】特開２００２−９８６２８号公報（図２）
【特許文献５】特開平９−８００３７号公報（図３）
【発明の開示】
【発明が解決しようとする課題】
【００１３】
上述した樹脂による方法では充分に洗浄が行えず、別途防腐剤・洗浄剤・試薬を常に装置内に保持しておくのはスペースやメンテナンス上は好ましくない。特に光測定における測定試料を保持する容器に関しては、汚れによる光の透過率変化や旋光物質の付着などによる測定精度の低下を招く。
本発明では上述した問題点を解決し、省スペースでメンテナンスの手間が省け、高精度な測定が行える濃度測定装置を提供することを目的とする。
【課題を解決するための手段】
【００１４】
これらの課題を解決するために本発明による濃度測定装置は、下記に記載の手段を採用する。
【００１５】
本発明の濃度測定装置は、所定の溶液成分の特性を測定する測定手段と、所定の容器を脱着する脱着手段とを備え、所定の溶液の濃度を測定する濃度測定装置であって、所定の溶液成分の特性を測定するための前処理として必要な成分の入った前処理用容器および光学的な測定手段による測定時に試料を保持するための測定容器が脱着手段により装着されることを特徴とする。
さらには、脱着手段により交換可能な容器を複数個備える容器群を有し、容器群には前処理用容器と測定容器とが混在していることが好ましい。また、容器群は円盤形状であることが好ましい。また、円盤形の容器群の外側と中心の間に光を透過する状態を有することも好ましい。さらには、１つの測定容器に対して複数の前処理用容器を備えることが好ましい。
【００１６】
（作用）
本発明では図１のごとく樹脂を備えた容器１３と測定セル８を備えたカセット３０を装着することにより、測定試料は容器１３を通り抜けて尿中グルコース以外の旋光成分を除去して測定セル８に至る。この時、光学測定装置９が測定セル８に光を透過させて旋光度を測ることによって尿中グルコース濃度を求める。  測定後、カセット３０ごと廃棄し、次回の測定のために新規のカセット３０を装着する。
すなわち、本発明においては、測定の前処理を行うための樹脂を備えた容器１３の容器と測定試料を保持するための容器（測定セル８）を備えたカセット３０を脱着することにより、測定セル８洗浄の手間が省け、試料による汚染がないので高精度の測定を行える。
さらには、図５に示すとおり複数の容器群６３を備え、複数回の測定後にカセットを廃棄することにより、汚れた測定セル６８を複数回毎に交換する。すなわち、汚れによる交換が必要になるまで使用することにより、測定セル６８の交換を節約する。
【発明の効果】
【００１７】
以上の説明のように、本発明の濃度測定装置においては、下記に記載する効果を有する。
【００１８】
測定の前処理を行うための樹脂を備えた容器１３の容器と測定試料を保持するための容器（測定セル８）を備えたカセット３０を脱着することにより、測定セル８洗浄の手間が省け、試料による汚染がないので高精度の測定を行える。また、使い捨ての樹脂を備えた容器１３と共に測定セル８を廃棄するので、測定セル８のみを廃棄するための機構は不要となる。
【発明を実施するための最良の形態】
【００１９】
以下、図面を用いて本発明を利用した濃度測定装置の最適な実施形態を説明する。
（第一の実施形態）
図１は本発明の第一の実施形態の例である。
【００２０】
図１は本発明による濃度測定装置の全体システム図を示す。図中、制御装置１０は全体システムを制御するためのＣＰＵおよび周辺回路から構成される。光学測定装置９は測定セル８の試料液（尿）の旋光度を測定するための装置であり、制御装置１０の指示によって測定する。試料液容器３は測定する試料液（尿）を入れておく容器である。電磁弁１４は試料液容器３側と容器１３側を制御装置１０の指示に従って開閉する機能を有する。
【００２１】
脱着装置１１および脱着装置１２は制御装置１０の指示に従ってカセット３０を脱着するための装置である。カセット３０はプラスチックで作製されており、阻害成分を除去するための樹脂（イオン交換樹脂と合成吸着樹脂）が入っている容器１３および測定セル８を備えている。ここで、容器１３は、前処理用容器として機能する。また、容器１３には溶液の入口側として通液穴があり、入口側および出口側には樹脂を通過させないためのメンブレンフィルターを備えてあり、測定セル８の出口側には溶液の出口側として通液穴がある。ポンプ７は送液ポンプであり、制御装置１０の指示に従って液の搬送・停止を行う。
【００２２】
次にカセット３０の具体的な交換システムについて説明をする。図２（ａ）はカセット３０を自動交換するための詳細機構を示す。図中、脱着装置１１は上下する機能を持ち、カセット３０をはずす際は上へ動き装着する際は下へ動く。脱着装置１２は上下する機能を持ち、カセット３０をはずす際は下へ動き装着する際は上へ動く。カセット３０には試料液の入口である通液穴３３および出口である通液穴３４が形成されている。
カセット３０を装着する際は、脱着装置１１が下に動き脱着装置１２が上に動くことにより、カセット３０が固定される。上記動作により固定されたカセット３０に脱着装置１１側から試料が流れ込み脱着装置１２へと流れ出す。この時、光学測定装置９から発生した光３１がカセット３０の窓３２ａを通過し窓３２ｂ（図２（ｂ））に抜け、その光の状態を光学測定装置９が測定する。
カセット３０を交換する際は脱着装置１１が上へ動き、脱着装置１２が下へ動いた後に、カセット３０は矢印の方向に廃棄される。新たなカセット３０を装着する際は、脱着装置１１が下に動き脱着装置１２が上に動くことにより、カセット３０が固定される。
【００２３】
図２（ｂ）は切断線６に沿ったカセット３０の断面図を示す。以下、カセット３０内の測定工程を試料液の流れに従って説明する。まず、試料液は通液穴３３を介して樹脂の入った容器１３を通り抜ける。ここで、３４ａは容器１３の入口側のメンブレンフィルターであり、３４ｂは出口側のメンブレンフィルターであり、容器１３内の樹脂の流出を防いでいる。
容器１３を通過して、阻害成分が除去された試料液は測定セル８内に流れ込む。光学測定装置９により光３１を照射され光の状態が測定される。ここで、窓３２ａおよび窓３２ｂはカセット３０内に光を透過するために備えられている透明な素材で作製された窓である。
【００２４】
次に全体システムの動作について説明する。図３は制御装置１０（図１）のシステムフローチャートを示す。測定を開始すると、実行ステップ１７において電磁弁１４を閉じて溶液が流れないようにした後、次に実行ステップ１８において脱着装置１１および脱着装置１２によりカセット３０を装着する。次に実行ステップ１９において電磁弁６を試料液容器３側に開き、電磁弁１４を開くことにより、試料液（尿）が容器に搬送されるパスを確保する。次に実行ステップ２０においてポンプ７を動かし、容器１３に試料液（尿）および測定セル８内を通液して光学装置９にて測定した後、ポンプ７を停止する。
【００２５】
次に実行ステップ２１により、電磁弁１４を閉じ、脱着装置１１および脱着装置１２によりカセット３０を廃棄する。
【００２６】
（第二の実施形態）
図４は本発明の第二の実施形態の例である。
【００２７】
カセット形状が円盤形である場合を図４に示す。図４（ａ）中、脱着装置１１は上下する機能を持ち、容器をはずす際は上へ動き装着する際は下へ動く。脱着装置１２は上下する機能を持ち、容器をはずす際は下へ動き装着する際は上へ動く。
カセット５１に備わる容器部を交換する際は脱着装置１１が上へ動き、脱着装置１２が下へ動いた後に、カセット５１内には１０組の容器１３と測定セル８が備えられており、各々は通液穴に対応した位置に備えられている。ここで、容器１３は、前処理用容器として機能する。カセット５１内の通液穴が所定の位置になる長さ分だけ、カセット５１が図中の矢印の方向に回転する。その後、脱着装置１１が下に動き脱着装置１２が上に動くことにより、カセット５１が固定される。
【００２８】
以上の動作によりカセット５１内の容器部が自動交換される。ここで、通液穴５７ａ、通液穴５７ｂ、通液穴５７ｃ、通液穴５７ｄ、通液穴５７ｅ、通液穴５７ｆ、通液穴５７ｇ、通液穴５７ｈ、通液穴５７ｉ、および通液穴５７ｊは各々試料液の入口の穴である。すなわち、通液穴５７ｂ、通液穴５７ｃ、通液穴５７ｄ、通液穴５７ｅ、通液穴５７ｆ、通液穴５７ｇ、通液穴５７ｈ、通液穴５７ｉ、および通液穴５７ｊの順番で使用されていく。
【００２９】
また、図４（ａ）は通液穴５７ａがこれから使用される状態を示している。ここで、発光装置５５は光学測定装置９内に備えられ光を窓５２ａに照射する。発光装置５５は光学測定装置９内に備えられたレーザダイオード、レンズ、偏光子、液晶素子、ハーフミラー、波長板、４分の１波長板、偏光子、フォトダイオードを有する。受光装置５４は光学測定装置９内に備えられた４分の１波長板、偏光子、フォトダイオードを有する。
受光装置５４はカセット５１に備えられた窓５２と測定セルを介して到達した発光装置５５からの光を受光する。受光された光は電気信号に変換され、光学測定装置９を介して制御回路１０に送られ、演算される。
以下カセット５１の回転により窓５２ａ、窓５２ｂ、窓５２ｃ、窓５２ｄ、窓５２ｅと順次に光が照射され、１０番目の窓５２ｊに光が照射され測定される。この後、次の測定の必要がある場合はカセット５１を新しいカセット５１にユーザーが交換する。すなわち、ユーザーは１０回測定後にカセットを交換するだけでよい。
【００３０】
図４（ｂ）は切断線５０に沿ったカセット５１の断面図を示す。以下、カセット５１内の測定工程を試料液の流れに従って説明する。まず、試料液は通液穴５８を介して樹脂の入った容器１３を通り抜ける。ここで、３４ａは容器１３の入口側のメンブレンフィルターであり、３４ｂは出口側のメンブレンフィルターであり、容器１３内の樹脂の流出を防いでいる。
容器１３を通過して、阻害成分が除去された試料液は測定セル８内に流れ込む。測定される位置に配置された場合は、光学測定装置９により光３１が照射されて光の状態が測定される。ここで、窓３２ａおよび窓３２ｂはカセット５１内に光を透過するために備えられている透明な素材で作製された窓である。
なお、全体システム構成と動作を示すフローチャートに関しては第一の実施の形態の例と同じである。
【００３１】
以上で、本発明の第二の実施形態の例を説明した。ここで、測定対象を尿中グルコース
としたが、試料液としては尿に限るものではなく、測定成分もグルコースに限定されない。また、光学測定として旋光度としたが、透過率測定や屈折率測定でも良く、光透過が必要な測定手法であれば応用可能である。また、前処理として樹脂による阻害成分除去としたが、対象とする測定成分が異なれば前処理を試薬にすることも可能であり限定するものではない。また、カセット５１の使用回数は１０に規定するものではない。
【００３２】
（第三の実施形態）
図５は本発明の第三の実施形態の例である。
【００３３】
図５は本発明による濃度測定装置の全体システム図を示す。図中、制御装置７７は全体システムを制御するためのＣＰＵおよび周辺回路から構成される。光学測定装置９は測定セル６８の試料液（尿）の旋光度を測定するための装置であり、制御装置７７の指示によって測定する。試料液容器３は測定する試料液（尿）を入れておく容器である。電磁弁１４は試料容器３側とカセット６０側を制御装置７７の指示に従って開閉する機能を有する。
【００３４】
脱着装置６１ａ，脱着装置６１ｂ、脱着装置６１ｃ、脱着装置６１ｄおよび脱着装置６２は制御装置７７の指示に従ってカセット６０を脱着するための装置である。カセット６０はプラスチックで作製されており、阻害成分を除去するための樹脂（イオン交換樹脂と合成吸着樹脂）が入っている容器６３ａ、容器６３ｂ、容器６３ｃ、容器６３ｄおよび測定セル６８を備えている。ここで、容器６３ａ、容器６３ｂ、容器６３ｃ、容器６３ｄは、前処理用容器として機能する。また、容器６３ａ、容器６３ｂ、容器６３ｃおよび容器６３ｄには溶液の入口側として通液穴６６ａ、通液穴６６ｂ、通液穴６６ｃおよび通液穴６６ｄがあり、入口側および出口側には樹脂を通過させないためのメンブレンフィルターが備えてあり、測定セル６８の出口側には溶液の出口側として通液穴がある。ポンプ７は送液ポンプであり、制御装置７７の指示に従って液の搬送・停止を行う。
【００３５】
次にカセット６０の具体的な交換システムについて説明をする。図６（ａ）はカセット６０を自動交換するための詳細機構を示す。図中、脱着装置６１ａ，脱着装置６１ｂ、脱着装置６１ｃ、脱着装置６１ｄは上下する機能を持ち、カセット６０をはずす際は上へ動き装着する際は下へ動く。脱着装置６２は上下する機能を持ち、カセット６０をはずす際は下へ動き装着する際は上へ動く。カセット６０には試料液の入口である通液穴６６ａ、通液穴６６ｂ、通液穴６６ｃ、通液穴６６ｄおよび出口である通液穴６７が形成されている。
カセット６０を装着する際は、脱着装置６１ａ，脱着装置６１ｂ、脱着装置６１ｃおよび脱着装置６１ｄが下に動き、脱着装置６２が上に動くことによりカセット６０が固定される。上記動作により固定されたカセット６０に脱着装置６１ａから試料が流れ込み脱着装置６２へと流れ出す。この時、光学測定装置９から発生した光６９がカセット６０の窓７１ａを通過し窓７１ｂ（図６（ｂ））に抜け、その光の状態を光学測定装置９が測定する。
【００３６】
次の測定時は上記動作により固定されたカセット６０に脱着装置６１ｂから試料が流れ込み脱着装置６２へと流れ出し、光学測定装置９から発生した光６９がカセット６０の窓７１ａを通過し窓７１ｂ（図６（ｂ））に抜け、その光の状態を光学測定装置９が測定する。次の測定時は上記動作により固定されたカセット６０に脱着装置６１ｃから試料が流れ込み脱着装置６２へと流れ出し、光学測定装置９から発生した光６９がカセット６０の窓７１ａを通過し窓７１ｂ（図６（ｂ））に抜け、その光の状態を光学測定装置９が測定する。次の測定時は上記動作により固定されたカセット６０に脱着装置６１ｄから試料が流れ込み脱着装置６２へと流れ出し、光学測定装置９から発生した光６９がカセット６０の窓７１ａを通過し窓７１ｂ（図６（ｂ））に抜け、その光の状態を光学測定装置９が測
定する。すなわち、容器６３ａ、容器６３ｂ、容器６３ｃ、容器６３ｄ内の樹脂を使って合計４回の測定が行われる。
【００３７】
その後、カセット６０を交換する際は脱着装置群６１（脱着装置６１ａ，脱着装置６１ｂ、脱着装置６１ｃおよび脱着装置６１ｄ）が上へ動き、脱着装置６２が下へ動き、カセット６０は矢印の方向に廃棄される。新たなカセット６０を装着する際は、脱着装置６１ａ，脱着装置６１ｂ、脱着装置６１ｃおよび脱着装置６１ｄが下に動き脱着装置６２が上に動くことにより、カセット６０が固定される。すなわち、カセット６０内の測定セル６８は４回測定毎に交換される。
【００３８】
図６（ｂ）は切断線７５に沿ったカセット６０の断面図を示す。試料液は通液穴６６ａ、通液穴６６ｂ、通液穴６６ｃ、通液穴６６ｄを介して各々容器６３ａ、容器６３ｂ、容器６３ｃ、容器６３ｄ内の樹脂を通り抜ける。ここで、容器６３ａ、容器６３ｂ、容器６３ｃ、容器６３ｄ内には入口側のメンブレンフィルターと出口側のメンブレンフィルターが樹脂の流出を防いでいる。
容器６３ａ、容器６３ｂ、容器６３ｃ、容器６３ｄ内の樹脂を通過して、阻害成分が除去された試料液は測定セル６８内に流れ込む構造となっている。光学測定装置９により光３１を照射され光の状態が測定される。ここで、窓７１ａおよび窓７１ｂはカセット６０内に光を透過するために備えられている透明な素材で作製された窓である。実際には容器６３ａ、容器６３ｂ、容器６３ｃ、容器６３ｄは電磁弁７２ａ、電磁弁７２ｂ、電磁弁７２ｃおよび電磁弁７２ｄの操作により順番に使用されるので同時に使用されることはない。
【００３９】
次に全体システムの動作について説明する。図７は制御装置７７（図５）のシステムフローチャートを示す。測定を開始すると、実行ステップ８１において電磁弁１４を閉じて溶液が流れないようにした後、実行ステップ８２において、次に要される容器を判断する。上記判断の結果が、容器６３ａであった場合は実行ステップ８３において脱着装置群６１および脱着装置６２を動かして装着されているカセット６０を新しいカセット６０に交換し、実行ステップ８４において電磁弁７２ａおよび電磁弁１４を開くことにより、試料液（尿）が容器６３ａに搬送されるパスを確保する。
実行ステップ８２における判断の結果が、容器６３ｂであった場合は、実行ステップ８５において電磁弁７２ｂおよび電磁弁１４を開くことにより、試料液（尿）が容器６３ｂに搬送されるパスを確保する。実行ステップ８２における判断の結果が、容器６３ｃであった場合は、実行ステップ８６において電磁弁７２ｃおよび電磁弁１４を開くことにより、試料液（尿）が容器６３ｃに搬送されるパスを確保する。実行ステップ８２における判断の結果が、容器６３ｄであった場合は、実行ステップ８７において電磁弁７２ｄおよび電磁弁１４を開くことにより、試料液（尿）が容器６３ｄに搬送されるパスを確保する。
【００４０】
次に実行ステップ８８において、ポンプ７を動かし、指定した容器を通液して測定セル６８に入った試料を光学装置９にて測定し、ポンプ７を停止する。最後に実行ステップ８９において、電磁弁７２ａ、電磁弁７２ｂ、電磁弁７２ｃ、電磁弁７２ｄを閉じる。
以上、第三の実施の形態の例を説明した。ここで、カセットは１式であったが、第二の実施の形態の例の通り、円盤形等により連続的に脱着することにより、カセットの交換頻度を減少することができる。
【図面の簡単な説明】
【００４１】
【図１】本発明の第一の実施形態における濃度測定装置のシステム構成を示す図である。
【図２】本発明の第一の実施形態における濃度測定装置の容器交換部を示す図である。
【図３】本発明の第一の実施形態における濃度測定装置のフローチャートを示す図である。
【図４】本発明の第二の実施形態における濃度測定装置の容器交換部を示す図である。
【図５】本発明の第三の実施形態における濃度測定装置のシステム構成を示す図である。
【図６】本発明の第三の実施形態における濃度測定装置の容器交換部を示す図である。
【図７】本発明の第三の実施形態における濃度測定装置のフローチャートを示す図である。
【図８】従来の濃度測定装置の構成を示す図である。
【符号の説明】
【００４２】
７      ポンプ
８      測定セル
９      光学測定装置
１０    制御装置
１１    脱着装置
１３    容器
３１    光
５１    カセット
５２ａ  窓
５４    受光素子
５５    発光装置
５７ａ  通液穴
６１    脱着装置群
７２ａ  脱着装置
７７    制御装置
【図１】
2007192551.tif 000003
【図２】
2007192551.tif 000004
【図３】
2007192551.tif 000005
【図４】
2007192551.tif 000006
【図５】
2007192551.tif 000007
【図６】
2007192551.tif 000008
【図７】
2007192551.tif 000009
【図８】
2007192551.tif 000010